(57)【要約】【課題】少ない部品点数、低コストで確実にマイクロホンの音響特性を改善でき、組立てが容易で生産性に優れ、部品の寸法、取付精度を確保でき、マイクロホンの音響特性のばらつきを低減でき、使用周波数全域でクリアな音質をえられる信頼性に優れた電話機の提供。【解決手段】電話機キャビネットの底部に穿設された音孔２と、音孔２に連通し電話機キャビネットの底部内側に配設されたマイクロホン６と、音孔２と対向しマイクロホン６の底面６ｂに形成されたマイク孔６ａと、マイクロホン収容部の底面３ｂ及びマイクロホン６の底面６ｂとの間にそれぞれの面と所定間隔をもって配設されマイクロホン６の底面６ｂに覆設されマイクロホン６の外周を囲繞する弾性体のマイクカバー部４とを備え、マイクカバー部４の底部覆設部に音孔２及びマイク孔６ａと重ならない位置で１以上穿設された音響貫通孔４ｂを設けた。【選択図】図１
2005311656.tif 000002
【特許請求の範囲】
【請求項１】
電話機キャビネットの底部に穿設された音孔と、前記音孔に連通し前記電話機キャビネットの底部の内側に形成されたマイクロホン収容部と、前記マイクロホン収容部に配設されたマイクロホンと、前記音孔と対向し前記マイクロホンの底面に形成されたマイク孔と、前記マイクロホン収容部の底面及び前記マイクロホンの底面との間にそれぞれの面と所定間隔をもって配設され前記マイクロホンの底面に覆設された底部覆設部と前記底部覆設部に立設され前記マイクロホンの外周を囲繞する外周囲繞部とを有する弾性体のマイクカバー部と、前記マイクカバー部の前記底部覆設部に前記音孔及び前記マイク孔と重ならない位置で１以上穿設された音響貫通孔と、を備えていることを特徴とする電話機。
【請求項２】
前記マイクカバー部の前記底部覆設部の外周に沿って突設され、前記マイクロホン収容部の底面に当接して前記マイクカバー部の前記底部覆設部の底面と前記電話機キャビネットの前記マイクロホン収容部の底面との間に空間部を形成する突状部を備えていることを特徴とする請求項１に記載の電話機。
【請求項３】
前記音孔が前記マイクロホンの略中央位置で前記電話機キャビネットの底部に穿設され、前記音響貫通孔が前記マイクカバー部の前記底部覆設部の外周に沿って穿設されていることを特徴とする請求項１又は２に記載の電話機。
【発明の詳細な説明】
【技術分野】
【０００１】
本発明は、留守番電話の応答メッセージの録音やハンズフリー通話に使用されるマイクロホンを備えた電話機に関するものである。
【背景技術】
【０００２】
近年、家庭で使用される電話機の多くは、留守番電話機能や受話器を置いたまま通話が可能なハンズフリー通話機能を備えている。この留守番電話機能の応答メッセージの録音やハンズフリー通話機能のために、電話機の親機にはマイクロホンと共に、録音されたメッセージや通話相手の声を聞くためのスピーカが取付けられている。
【０００３】
しかしながら、マイクロホンとスピーカの位置が近いと、ハウリングが発生し易く、また、電話機の設置状態によって音の反射が発生し、特に高周波数域の音圧が上昇して耳障りなキンキン音が発生して、良好な通話をすることができないという問題点があった。
【０００４】
これらの問題点を解決するために、マイクロホンとスピーカの位置関係やマイクロホンの周辺構造について、種々の検討がなされている。
【０００５】
例えば特許文献１には、「本体を底壁の少なくとも一部が本体の載置面より浮いた状態に形成し、マイクロホンをその正面側が浮いた状態の底壁部分に接するように設けたスピーカとマイクロホンとを本体内に設けたハンズフリー電話機」が開示されている。
【０００６】
また、音のエネルギーを吸収させることにより、高周波数域での感度を下げて音の響きを改善するものとして、マイクロホンと電話機キャビネットの音孔との間にスポンジを挟んだものがある。
【特許文献１】特許第３０８９３４９号公報
【発明の開示】
【発明が解決しようとする課題】
【０００７】
しかしながら上記従来の技術では、以下のような課題を有していた。
【０００８】
（１）特許文献１は、マイクロホンの正面から本体の載置面までの距離を所定の距離に設定することにより、電話機における伝送最高周波数よりも高い周波数に逆位相の干渉が生じるようにして、高音質化を図るものであるため、本体が載置面に対して傾斜して設置された場合など、本体の設置状態により逆位相の干渉が生じる周波数が変化してしまい、音質の改善を図ることができず、確実性、汎用性に欠けるという課題を有していた。
【０００９】
（２）また、マイクロホンと電話機キャビネットの音孔との間にスポンジを挟み、音のエネルギーを吸収させるものは、部品点数が増えコストがかかると共に、スポンジが軟らかく取扱いが困難であるため、組立て性が悪く生産性に欠け、また、寸法精度や取付精度が出ないため特性のバラツキが発生し易く、信頼性に欠けるという課題を有していた。
【００１０】
本発明は上記従来の課題を解決するもので、少ない部品点数、低コストで確実にマイクロホンの音響特性を改善でき、組立てが容易で生産性に優れ、部品の寸法精度、取付精度を確保することができ、マイクロホンの音響特性のばらつきを低減することできて、使用する周波数全域においてクリアな音質をえることができる信頼性に優れた電話機を提供することを目的とする。
【課題を解決するための手段】
【００１１】
上記課題を解決するために、本発明の電話機は、電話機キャビネットの底部に穿設された音孔と、前記音孔に連通し前記電話機キャビネットの底部の内側に形成されたマイクロホン収容部と、前記マイクロホン収容部に配設されたマイクロホンと、前記音孔と対向し前記マイクロホンの底面に形成されたマイク孔と、前記マイクロホン収容部の底面及び前記マイクロホンの底面との間にそれぞれの面と所定間隔をもって配設され前記マイクロホンの底面に覆設された底部覆設部と前記底部覆設部に立設され前記マイクロホンの外周を囲繞する外周囲繞部とを有する弾性体のマイクカバー部と、前記マイクカバー部の前記底部覆設部に前記音孔及び前記マイク孔と重ならない位置で１以上穿設された音響貫通孔と、を備えている構成を有している。
【００１２】
これにより、電話機キャビネットの底部に穿設された音孔から入った音を確実にマイクカバー部の底部覆設部に穿設された音響貫通孔を通過させることができ、弾性体のマイクカバー部に音のエネルギーを吸収させることができ、特に高周波数域における音の響きを低減させることができて、周波数全域においてクリアな音質をえることができる信頼性に優れた電話機を提供することができる。
【発明の効果】
【００１３】
以上説明したように本発明の電話機によれば、以下のような有利な効果が得られる。
【００１４】
請求項１に記載の発明によれば、
（１）電話機キャビネットの底部に穿設された音孔と、音孔と対向し電話機キャビネットの底部の内側に形成されたマイクロホン収容部に配設されたマイクロホンと、音響貫通孔を穿設された弾性体のマイクカバー部とを有するので、音孔から入った音を音響貫通孔に通過させることができ、音がマイクロホンに到達するまでの間に、弾性体のマイクカバー部に音のエネルギーを吸収させることができ、高周波数域での音の響きを改善できる高品質で信頼性に優れた電話機を提供することができる。
【００１５】
（２）音響貫通孔を穿設されたマイクカバー部の底部覆設部が、マイクロホン収容部の底面及びマイクロホンの底面とそれぞれ所定間隔をもって配設されているので、音孔から入った音を確実に音響貫通孔に通過させることができ、マイクカバー部で音のエネルギーを吸収させた上で、マイク孔へ導くことができ、音響特性の改善を図ることができる信頼性に優れた電話機を提供することができる。
【００１６】
（３）マイクカバー部がマイクロホンの底面に覆設された底部覆設部と底部覆設部に立設されマイクロホンの外周を囲繞する外周囲繞部とを有するので、マイクロホンをマイクロホン収容部に確実に固定することができる組立性に優れた電話機を提供することができる。
【００１７】
（４）マイクカバー部がマイクロホンの底面に覆設された底部覆設部と底部覆設部に立設されマイクロホンの外周を囲繞する外周囲繞部とを有するので、音響貫通孔を通過した音がマイクカバー部の外部に漏れることがなく、マイクロホンへ効率よく伝達される音響特性に優れた電話機を提供することができる。
【００１８】
（５）マイクカバー部の音響貫通孔が音孔及びマイク孔と重ならない位置で穿設されているので、音孔から入った音が直接、マイク孔に伝わることがなく、確実にマイクカバー部で音のエネルギーを吸収させることができ、音響特性の改善を図ることができる高品質で信頼性に優れた電話機を提供することができる。
【００１９】
（６）マイクカバー部の底部覆設部と外周囲繞部が一体に形成されていることにより、
部品点数を減らすことができ、部品の取扱いが容易で組立作業性、低コスト性に優れた電話機を提供することができる。
【００２０】
（７）マイクカバー部の音響貫通孔が複数、穿設されていることにより、マイクカバー部の表面積を増やすことができ、音のエネルギー吸収効果を高めることができ、音響特性の改善効果を高めることができる高品質で信頼性に優れた電話機を提供することができる。
【００２１】
請求項２に記載の発明によれば、請求項１の効果に加え、
（１）マイクカバー部の底部覆設部の外周に沿って突設され、マイクロホン収容部の底面に当接する突状部を有するので、マイクカバー部を電話機キャビネットのマイクロホン収容部に配設するだけで、マイクカバー部の底部覆設部の底面とマイクロホン収容部の底面との間に空間部を形成することができ生産性、組立作業性に優れ、確実に音の通り道を確保することができ、音孔から入った音を音響貫通孔に効率よく導くことができる信頼性に優れた電話機を提供することができる。
【００２２】
（２）マイクロホン収容部の底面に当接するマイクカバー部の突状部が、マイクカバー部の底部覆設部の外周に沿って一体に形成されるので、突状部の寸法精度を確保することができ、マイクカバー部の底部覆設部の底面とマイクロホン収容部の底面との間に形成される空間部の寸法、形状のばらつきを低減することができ、個体間の特性ばらつきの発生を低減することができる高品質で信頼性に優れた電話機を提供することができる。
【００２３】
（３）マイクカバー部の底部覆設部の外周に沿って突設され、マイクロホン収容部の底面に当接する突状部を有するので、マイクカバー部の外部への音漏れを防止でき、音孔から入った音を確実に音響貫通孔に通過させることができ、マイク孔まで伝達させることができる音響特性に優れた電話機を提供することができる。
【００２４】
請求項３に記載の発明によれば、請求項１又は２の効果に加え、
（１）音孔がマイクロホンの略中央位置で電話機キャビネットの底部に穿設され、音響貫通孔がマイクカバー部の底部覆設部の外周に沿って穿設されているので、複数の音響貫通孔を音孔に対して高密度で効率よく配置することができ、音響特性の改善効果を高めることができる高品質で信頼性に優れた電話機を提供することができる。
【発明を実施するための最良の形態】
【００２５】
本発明は、マイクロホンを備えた電話機において、少ない部品点数、低コストで確実にマイクロホンの音響特性を改善でき、組立てが容易で生産性に優れ、部品の寸法精度、取付精度を確保することができ、マイクロホンの音響特性のばらつきを低減することできて、使用する周波数全域においてクリアな音質をえることができる信頼性に優れた電話機を提供するという目的を、音響貫通孔を有する弾性体のマイクカバー部を電話機キャビネットの底部に形成された音孔とマイクロホンの底面に形成されたマイク孔との間に配設することにより実現した。
【００２６】
上記課題を解決するためになされた第１の発明は、電話機キャビネットの底部に穿設された音孔と、音孔に連通し電話機キャビネットの底部の内側に形成されたマイクロホン収容部と、マイクロホン収容部に配設されたマイクロホンと、音孔と対向しマイクロホンの底面に形成されたマイク孔と、マイクロホン収容部の底面及びマイクロホンの底面との間にそれぞれの面と所定間隔をもって配設されマイクロホンの底面に覆設された底部覆設部と底部覆設部に立設されマイクロホンの外周を囲繞する外周囲繞部とを有する弾性体のマイクカバー部と、マイクカバー部の底部覆設部に音孔及びマイク孔と重ならない位置で１以上穿設された音響貫通孔と、を備えた構成を有している。
【００２７】
この構成により、以下の作用を有する。
【００２８】
（１）電話機キャビネットの底部に穿設された音孔と、音孔と対向し電話機キャビネットの底部の内側に形成されたマイクロホン収容部に配設されたマイクロホンと、音響貫通孔を穿設された弾性体のマイクカバー部とを有するので、音孔から入った音を音響貫通孔に通過させることができ、音がマイクロホンに到達するまでの間に、弾性体のマイクカバー部に音のエネルギーを吸収させることができ、高周波数域での音の響きを改善できる。
【００２９】
（２）音響貫通孔を穿設されたマイクカバー部の底部覆設部が、マイクロホン収容部の底面及びマイクロホンの底面とそれぞれ所定間隔をもって配設されているので、音孔から入った音を確実に音響貫通孔に通過させることができ、マイクカバー部で音のエネルギーを吸収させた上で、マイク孔へ導くことができ、音響特性の改善を図ることができる。
【００３０】
（３）マイクカバー部がマイクロホンの底面に覆設された底部覆設部と底部覆設部に立設されマイクロホンの外周を囲繞する外周囲繞部とを有するので、マイクロホンをマイクロホン収容部に確実に固定することができる。
【００３１】
（４）マイクカバー部がマイクロホンの底面に覆設された底部覆設部と底部覆設部に立設されマイクロホンの外周を囲繞する外周囲繞部とを有するので、音響貫通孔を通過した音がマイクカバー部の外部に漏れることがなく、マイクロホンへ効率よく伝達される。
【００３２】
（５）マイクカバー部の音響貫通孔が音孔及びマイク孔と重ならない位置で穿設されているので、音孔から入った音が直接、マイク孔に伝わることがなく、確実にマイクカバー部で音のエネルギーを吸収させることができ、音響特性の改善を図ることができる。
【００３３】
（６）マイクカバー部の底部覆設部と外周囲繞部が一体に形成されていることにより、部品点数を減らすことができ、取扱いが容易で組立作業性に優れる。
【００３４】
（７）マイクカバー部の音響貫通孔が複数、穿設されていることにより、マイクカバー部の表面積を増やすことができ、音のエネルギー吸収効果を高めることができ、音響特性の改善効果を高めることができる。
【００３５】
ここで、電話機キャビネットの底部に穿設される音孔は、１個でも複数個でもよいが、マイクカバー部の底部覆設部に穿設されるマイク孔と重ならない範囲でなるべく開口面積を大きく形成する。これにより、集音能力を向上させることができる。
【００３６】
音孔及びマイク孔の形状は、略円形、略楕円形、略矩形のほか、五角形や六角形、八角形等の多角形状等に形成することができる。
【００３７】
音孔は電話機キャビネットの底部に形成され側面の一部が開口した凹状部の内側に形成することが好ましい。これにより、電話機キャビネットの底部が卓上等に載置された場合でも、凹状部の側面の開口から音孔へ音を導くことができる。また、電話機キャビネットの底部に凹状部を形成する代わりに、音孔の周囲を側面の一部が開口した凸条部で囲むようにしてもよい。
【００３８】
マイクカバー部の材質としては、ブチルゴム、シリコンゴム等の合成ゴムやポリウレタン、ポリプロピレン等の軟質性の合成樹脂等の弾性体が好適に用いられる。
【００３９】
マイクカバー部の底部覆設部に穿設される音響貫通孔は、音孔及びマイク孔と重ならな
い範囲でなるべく開口面積を大きく形成する。これにより、音孔から入った音を確実に音響貫通孔に通過させることができ、マイクカバー部における音のエネルギーの吸収効率を高めることができ、音響改善効果を向上させることができる。
【００４０】
マイクカバー部の外周囲繞部の上端外周に鍔部を形成した場合、鍔部を電話機キャビネットとマイクロホンが取付けられる基板との間などに挟むことにより容易に固定して保持することができる。このとき、マイクロホン収容部の深さをマイクカバー部の外周囲繞部の高さよりも深く形成することにより、マイクカバー部の底部覆設部の底面とマイクロホン収容部の底面との間に空間部を形成することができる。特に、マイクロホン収容部に段差部を形成することにより、段差部にマイクカバー部の鍔部を係止するようにして確実に保持できる。
【００４１】
上記課題を解決するためになされた第２の発明は、第１の発明に記載の電話機であって、マイクカバー部の底部覆設部の外周に沿って突設され、マイクロホン収容部の底面に当接してマイクカバー部の底部覆設部の底面と電話機キャビネットのマイクロホン収容部の底面との間に空間部を形成する突状部を備えている構成を有している。
【００４２】
この構成により、第１の発明の作用に加え、以下の作用を有する。
【００４３】
（１）マイクカバー部の底部覆設部の外周に沿って突設され、マイクロホン収容部の底面に当接する突状部を有するので、マイクカバー部をマイクロホン収容部に配設するだけで、マイクカバー部の底部覆設部の底面とマイクロホン収容部の底面との間に空間部を形成することができ、音の通り道を確保することができ、音孔から入った音を確実に音響貫通孔に導くことができる。
【００４４】
（２）マイクロホン収容部の底面に当接するマイクカバー部の突状部が、マイクカバー部の底部覆設部の外周に沿って一体に形成されるので、突状部の寸法精度を確保することができ、マイクカバー部の底部覆設部の底面とマイクロホン収容部の底面との間に形成される空間部の寸法、形状のばらつきを低減することができ、個体間の特性ばらつきの発生を低減することができる。
【００４５】
（３）マイクカバー部の底部覆設部の外周に沿って突設され、マイクロホン収容部の底面に当接する突状部を有するので、マイクカバー部の外部への音漏れを防止でき、音孔から入った音を確実に音響貫通孔に通過させることができ、マイク孔まで伝達させることができる。
【００４６】
ここで、突状部の断面形状は、略矩形状、略台形状、略円弧状、略三角形状等に形成される。マイクカバー部が前述の弾性体で形成されるので、電話機キャビネットの底部上面に当接させた際に弾性変形して密着させることができ、マイクカバー部の外部への音漏れを確実に防止することができる。
【００４７】
上記課題を解決するためになされた第３の発明は、第１又は第２の発明に記載の電話機であって、音孔がマイクロホンの略中央位置で電話機キャビネットの底部に穿設され、音響貫通孔がマイクカバー部の底部覆設部の外周に沿って穿設されている構成を有している。
【００４８】
（１）音孔がマイクロホンの略中央位置で電話機キャビネットの底部に穿設され、音響貫通孔がマイクカバー部の底部覆設部の外周に沿って穿設されているので、複数の音響貫通孔を音孔に対して高密度で効率よく配置することができ、音響特性の改善効果を高めることができる。
【００４９】
ここで、マイクカバー部の底部覆設部の平面形状はマイクロホンの外形に応じて略矩形状や略円形状等に形成される。特に、略円形状に形成した場合、音孔を中心として円周上に音響貫通孔を効率よく配置することができる。
【００５０】
以下、本発明の実施の形態について、各図に基づいて説明する。
【００５１】
図１（ａ）は本実施の形態における電話機のマイクロホンの取付構造を示す要部断面側面図であり、図１（ｂ）は本実施の形態における電話機のマイクロホンの取付構造を示す背面側平面図である。
【００５２】
図１中、１は本実施の形態における電話機の電話機キャビネットの底部、１ａは電話機キャビネットの底部１に形成され側面の一部が開口した凹状部、２は凹状部１ａの内側で電話機キャビネットの底部１に穿設された略円形の音孔、３は音孔２に連通し電話機キャビネットの底部１の内側に形成されマイクロホン６が収容されたマイクロホン収容部、３ａはマイクロホン収容部３の上方に形成された段差部、４はマイクロホン収容部３に配設されマイクロホン６を基板７に固定するブチルゴム、シリコンゴム等の合成ゴムやポリウレタン、ポリプロピレン等の軟質性の合成樹脂等の弾性体で形成されたマイクカバー部、４ａはマイクロホン収容部３の底面３ｂ及び略円形のマイク孔６ａが形成されたマイクロホン６の底面６ｂとの間にそれぞれの面と所定間隔をもって配設されマイクロホン６の底面６ｂに覆設されたマイクカバー部４の底部覆設部、４ｂはマイクカバー部４の底部覆設部４ａに音孔２及びマイク孔６ａと重ならない位置で複数穿設された略円形の音響貫通孔、４ｃはマイクカバー部４の底部覆設部４ａに立設されマイクロホン６の外周６ｃを囲繞するマイクカバー部４の外周囲繞部、４ｄはマイクカバー部４の底部覆設部４ａの外周に沿って突設されマイクロホン収容部３の底面３ｂに当接した断面形状が略矩形状、略台形状、略円弧状、略三角形状等の突状部、４ｅはマイクカバー部４の外周囲繞部４ｃの上部外周に形成されマイクロホン収容部３の段差部３ａと基板７に挟まれたマイクカバー部４の鍔部、５ａはマイクカバー部４の突状部４ｄがマイクロホン収容部３の底面３ｂに当接することによりマイクロホン収容部３の底面３ｂとマイクカバー部４の底部覆設部４ａの底面との間に形成された空間部、５ｂはマイクロホン６の底面６ｂとマイクカバー部４の底部覆設部４ａの上面との間に形成された空間部である。
【００５３】
マイクカバー部４の底部覆設部４ａに穿設される音響貫通孔４ｂは、音孔２及びマイク孔６ａと重ならない範囲でなるべく開口面積を大きく形成した。これにより、音孔２から入った音を確実に音響貫通孔４ｂに通過させることができ、マイクカバー部４における音のエネルギーの吸収効率を高めることができ、音響改善効果を向上させることができる。
【００５４】
マイクカバー部４の外周囲繞部４ｃの高さをマイクロホン６よりも高く形成したことにより、マイクロホン６を基板７に固定しマイクカバー部４を覆設するだけでマイクロホン６の底面６ｂとマイクカバー部４の底部覆設部４ａの上面との間に空間部５ｂを形成することができる。
【００５５】
また、マイクロホン収容部３の上部外周に段差部３ａを形成し、マイクカバー部４の外周囲繞部４ｃの上部外周に鍔部４ｅを形成したことにより、マイクカバー部４の鍔部４ｅをマイクロホン収容部３の段差部３ａに係止してマイクカバー部４を確実に保持することができる。
【００５６】
尚、マイクロホン収容部３の段差部３ａの深さとマイクカバー部４の鍔部４ｅの厚さ、マイクロホン収容部３の深さとマイクカバー部４の外周囲繞部４ｃの高さを調整することにより、空間部５ａ、５ｂの高さを調整できる。
【００５７】
以上のように本実施の形態における電話機は構成されているので、以下のような作用を有する。
【００５８】
（１）電話機キャビネットの底部１に穿設された音孔２と、音孔２と対向し電話機キャビネットの底部１の内側に形成されたマイクロホン収容部３に配設されたマイクロホン６と、音響貫通孔４ｂを穿設された弾性体のマイクカバー部４とを有するので、音孔２から入った音を音響貫通孔４ｂに通過させることができ、音がマイクロホン６に到達するまでの間に、弾性体のマイクカバー部４に音のエネルギーを吸収させることができ、高周波数域での音の響きを改善できる。
【００５９】
（２）音響貫通孔４ｂを穿設されたマイクカバー部４の底部覆設部４ａが、マイクロホン収容部３の底面３ｂ及びマイクロホン６の底面６ｂとそれぞれ空間部５ａ、５ｂを介して配設されているので、音孔２から入った音を確実に音響貫通孔４ｂに通過させることができ、マイクカバー部４で音のエネルギーを吸収させた上で、マイク孔６ａへ導くことができ、音響特性の改善を図ることができる。
【００６０】
（３）マイクカバー部４がマイクロホン６の底面６ｂに覆設された底部覆設部４ａと底部覆設部４ａに立設されマイクロホン６の外周を囲繞する外周囲繞部４ｃとを有するので、マイクロホン６をマイクロホン収容部３に確実に固定することができる。
【００６１】
（４）マイクカバー部４がマイクロホン６の底面６ｂに覆設された底部覆設部４ａと底部覆設部４ａに立設されマイクロホン６の外周を囲繞する外周囲繞部４ｃとを有するので、音響貫通孔４ｂを通過した音がマイクカバー部４の外部に漏れることがなく、マイクロホン６へ効率よく伝達される。
【００６２】
（５）マイクカバー部４の音響貫通孔４ｂが音孔２及びマイク孔６ａと重ならない位置で穿設されているので、音孔２から入った音が直接、マイク孔６ａに伝わることがなく、確実にマイクカバー部４で音のエネルギーを吸収させることができ、音響特性の改善を図ることができる。
【００６３】
（６）マイクカバー部４の底部覆設部４ａと外周囲繞部４ｃが一体に形成されていることにより、部品点数を減らすことができ、取扱いが容易で組立作業性に優れる。
【００６４】
（７）マイクカバー部４の音響貫通孔４ｂが複数、穿設されていることにより、マイクカバー部４の表面積を増やすことができ、音のエネルギー吸収効果を高めることができ、音響特性の改善効果を高めることができる。
【００６５】
（８）マイクカバー部４をマイクロホン収容部３内に配設した際に、弾性体で形成されたマイクカバー部４が弾性変形してマイクロホン収容部３やマイクロホン６に密着し、マイクカバー部４の外部への音漏れを確実に防止することができる。
【００６６】
（９）マイクカバー部４の底部覆設部４ａの外周に沿って突設され、マイクロホン収容部３の底面３ｂに当接する突状部４ｄを有するので、マイクカバー部４をマイクロホン収容部３に配設するだけで、マイクカバー部４の底部覆設部４ａの底面とマイクロホン収容部３の底面３ｂとの間に空間部５ａを形成することができ、音の通り道を確保することができ、音孔２から入った音を確実に音響貫通孔４ｂに導くことができ、マイクカバー部４の外部への音漏れを防止できる。
【００６７】
（１０）マイクロホン収容部３の底面３ｂに当接する突状部４ｄが、マイクカバー部４
の底部覆設部４ａの外周に沿って一体に形成されるので、突状部４ｄの寸法精度を確保することができ、マイクカバー部４の底部覆設部４ａの底面とマイクロホン収容部３の底面３ｂとの間に形成される空間部５ａの寸法、形状のばらつきを低減することができ、個体間の特性ばらつきの発生を低減することができる。
【００６８】
（１１）マイクカバー部４の外周囲繞部４ｃの高さをマイクロホン６よりも高く形成することにより、マイクロホン６を基板７に固定しマイクカバー部４を覆設するだけでマイクロホン６の底面６ｂとマイクカバー部４の底部覆設部４ａの上面との間に空間部５ｂを形成することができ、音響貫通孔４ｂから入った音を確実にマイクロホン６のマイク孔６ａに伝達することができる。
【００６９】
（１２）音孔２がマイクロホン６の略中央位置で電話機キャビネットの底部１に穿設され、音響貫通孔４ｂがマイクカバー部４の底部覆設部４ａの外周に沿って穿設されているので、複数の音響貫通孔４ｂを音孔２に対して高密度で効率よく配置することができ、音響特性の改善効果を高めることができる。
【００７０】
（１３）音孔２及びマイク孔６ａがそれぞれ略円形に形成されていることにより、複数の音響貫通孔４ｂを音孔２及びマイク孔６ａと重ならない位置で等間隔で高密度に配置することができ、効率よく音響特性を改善することができる。
【００７１】
以下、本発明を実施例により具体的に説明する。
【実施例】
【００７２】
実施の形態で説明した電話機の音響特性測定を行った。
【００７３】
図２は音響特性測定に用いた音響特性測定システムを示す模式図である。
【００７４】
図中、１０は本実施の形態における電話機、１１は電話機１０のマイクロホン６と対向し所定間隔を空けて配置された音源となる発信機、１２は電話機１０及び発信機１１とそれぞれ接続線１２ａ、１２ｂで電気的に接続され電話機１０のマイクロホン６の周波数特性を測定する音響測定装置である。
【００７５】
発信機１１は、電話機１０のマイクロホン６の位置から水平方向にＬ＝９５ｍｍ、垂直方向にＨ＝１２０ｍｍ離れた位置に設置した。
【００７６】
以上のように構成された音響特性測定システムにより、周波数毎のマイクロホン６の感度を測定した。
【００７７】
比較例１として電話機キャビネットの底部１の音孔２とマイクロホン６のマイク孔６ａとの間に何もない開放状態、比較例２として電話機キャビネットの底部１の音孔２とマイクロホン６のマイク孔６ａとの間にスポンジを挟んだ状態についても測定を行なった。
【００７８】
図３乃至図５に音響特性測定結果を示す。
【００７９】
図３は比較例１における音響特性測定結果を示した図であり、図４は比較例２における音響特性測定結果を示した図であり、図５は本実施例における音響特性測定結果を示した図である。
【００８０】
図３乃至図５において、横軸は周波数（Ｈｚ）、縦軸は感度（ｄＢＶ／Ｐａ）を示す。尚、図３乃至図５には、音響特性の目安として英国のハンドセットスピーカーの音響特性
基準をハッチングで示した。ハッチングを施していない領域が良好な音響特性を示す。
【００８１】
本実施例によれば、比較例１と比べて特に、２ｋＨｚ〜４ｋＨｚの高周波数域における音の響きを改善することができ、周波数全域において良好な感度をえることができ、クリアな音質を確保することができ、比較例２と同等の音響特性改善効果がえられることがわかった。
【産業上の利用可能性】
【００８２】
本発明は、少ない部品点数、低コストで確実にマイクロホンの音響特性を改善でき、組立てが容易で生産性に優れ、部品の寸法精度、取付精度を確保することができ、マイクロホンの音響特性のばらつきを低減することできて、使用する周波数全域においてクリアな音質をえることができる信頼性に優れた電話機を提供することができ、留守番電話の応答メッセージの録音やハンズフリー通話等の機能、品質を向上させることができる。
【図面の簡単な説明】
【００８３】
【図１】（ａ）本実施の形態における電話機のマイクロホンの取付構造を示す要部断面側面図、（ｂ）本実施の形態における電話機のマイクロホンの取付構造を示す背面側平面図
【図２】音響特性測定に用いた音響特性測定システムを示す模式図
【図３】比較例１における音響特性測定結果を示した図
【図４】比較例２における音響特性測定結果を示した図
【図５】本実施例における音響特性測定結果を示した図
【符号の説明】
【００８４】
１    電話機キャビネットの底部
１ａ    凹状部
２    音孔
３    マイクロホン収容部
３ａ    段差部
３ｂ    底面
４    マイクカバー部
４ａ    底部覆設部
４ｂ    音響貫通孔
４ｃ    外周囲繞部
４ｄ    突状部
４ｅ    鍔部
５ａ、５ｂ    空間部
６    マイクロホン
６ａ    マイク孔
６ｂ    底面
６ｃ    外周
７    基板
１０    電話機
１１    発信機
１２    音響測定装置
１２ａ、１２ｂ    接続線
【図１】
2005311656.tif 000003
【図２】
2005311656.tif 000004
【図３】
2005311656.tif 000005
【図４】
2005311656.tif 000006
【図５】
2005311656.tif 000007